(57)【要約】【課題】演出の多様化に対応できるとともに、メンテナンス性を向上できる最大ベットスイッチ１５、及びスロットマシン１を提供することを目的とする。【解決手段】遊技者による押下を許容する押下部材１００と、押下部材１００を付勢するスプリング２００と、押下部材１００の押下を検知する押下検知ユニット４００と、これらを収容するハウジング６００とを備えた最大ベットスイッチ１５であって、ＬＥＤ５１２を有する照明ユニット５００と、ＬＥＤ５１２の光を外部に透過する透過部分１１５とを備え、ハウジング６００の下部に、下方から押下検知ユニット４００の挿入を許容する第１ユニット挿入部６１４を有する第１ユニット収容部６０３を備え、ハウジング６００の側部に、下方から照明ユニット５００の挿入を許容する第２ユニット挿入部６１８を有する第２ユニット収容部６０４を備えたことを特徴とする。【選択図】図６
2015205099.tif 000002
【特許請求の範囲】
【請求項１】
ユーザーによる押下を許容する少なくとも１つの押下部材と、
該押下部材が押下される押下方向に抗して前記押下部材を付勢する付勢部材と、
前記押下部材が押下されたことを検知する押下検知ユニットと、
これらを収容するハウジングとを備えた押しボタンスイッチであって、
光を照射する光源を有する照明ユニットと、
前記照明ユニットが照射した照射光を外部に透過する透過部とを備え、
前記押下検知ユニットまたは前記照明ユニットのいずれか一方を、一方のユニットとし、
前記押下方向と略直交する方向を直交方向として、
前記ハウジングにおける前記押下方向の端部に、
前記押下方向とは逆方向から前記一方のユニットの挿入を許容する挿入開口を有するとともに、挿入された前記一方のユニットを囲繞する略ボックス状に形成した第１ユニット収容部を備え、
該第１ユニット収容部に対して前記直交方向に位置する前記ハウジングの側部に、
前記逆方向から他方のユニットの挿入を許容する挿入開口を有するとともに、挿入された前記他方のユニットを囲繞する略ボックス状に形成した第２ユニット収容部を備えた
押しボタンスイッチ。
【請求項２】
前記一方のユニットを、
前記第１ユニット収容部に螺設する構成とし、
前記他方のユニットを、
前記第２ユニット収容部に螺設する構成とした
請求項１に記載の押しボタンスイッチ。
【請求項３】
前記一方のユニットまたは／および前記他方のユニットを、
前記直交方向から螺合する螺合手段によって各ユニット収容部に螺設する構成とした
請求項１に記載の押しボタンスイッチ。
【請求項４】
前記他方のユニットを、
少なくとも一方の面に所定の電子部品を実装した実装基板と、
該実装基板を保持するとともに、前記第２ユニット収容部に挿入される基板ホルダとで構成し、
該基板ホルダに、
前記第２ユニット収容部の端面と当接するフランジ部を備えた
請求項１から請求項３のいずれか１つに記載の押しボタンスイッチ。
【請求項５】
前記実装基板を、
前記一方の面に前記所定の電子部品を実装した片面実装基板とした
請求項４記載の押しボタンスイッチ。
【請求項６】
前記一方のユニットを、前記押下検知ユニットとし、
前記他方のユニットを、前記照明ユニットとした
請求項１から請求項５のいずれか１つに記載の押しボタンスイッチ。
【請求項７】
請求項１から請求項６のいずれか１つに記載の押しボタンスイッチと、
遊技の進行を制御するとともに、遊技にかかる所定の制御情報を送信する遊技制御手段を有する遊技制御基板と、
取得した前記所定の制御情報に基づいて、遊技の進行に応じた各種演出を遊技の進行に応じて制御する演出制御手段を有する演出制御基板と、
前記遊技制御手段、及び前記演出制御手段を接続する接続手段とを備えたスロットマシンであって、
前記遊技制御手段、及び押下部材が押下されたことを検知する押下検知ユニットを接続する第１ユニット接続手段と、
前記演出制御手段、及び光を照射する光源を有する照明ユニットを接続する第２ユニット接続手段とを備えた
スロットマシン。
【発明の詳細な説明】
【技術分野】
【０００１】
この発明は、例えばスロットマシンにおいて、クレジットに貯留されているメダルから１回の遊技で使用する最大枚数のメダルの投入を所望する遊技者の操作を受付ける最大ベットスイッチのような押しボタンスイッチ、及び押しボタンスイッチを備えたスロットマシンに関する。
【背景技術】
【０００２】
遊技者が遊技媒体を投入して遊技を楽しむ遊技機として、遊技者の操作を契機に複数の図柄が描かれたリールを回転させるとともに、適宜のタイミングで停止させた際の図柄によって、遊技者が利益を獲得する回胴式遊技機（以下、スロットマシンと呼ぶ）がある。
【０００３】
このようなスロットマシンは、遊技者の操作を契機に複数の抽選対象役に基づいてハズレを含む１つの役抽選結果を選出するとともに、リールの回転開始や回転停止を制御する主制御基板あるいはメイン制御基板と呼ばれる遊技制御基板と、役抽選結果に応じて音声や発光などによる演出動作を制御する副制御基板あるいはサブ制御基板と呼ばれる演出制御基板とで、遊技にかかる各種動作を制御している（特許文献１参照）。
【０００４】
ところで、昨今のスロットマシンは、液晶モニタに表示される映像やスピーカーから出力される音声などの各種演出を多様化することで、遊技者に対する興趣を高めている。例えば、スロットマシンは、特定の役に入賞した場合だけでなく、遊技中における様々タイミングで、遊技の進行に応じた映像や、映像に連動した音声を出力することで演出の多様化を図っている。  
そして、演出の多様化は、液晶モニタに表示される映像やスピーカーから出力される音声だけでなく、スロットマシンの各部に設けた照明の発光パターンにも求められている。
【０００５】
例えば、特許文献２に記載の操作スイッチは、遊技者による操作を検知する検知センサを有する第１ケース部材がコネクタを介して主制御部に接続され、ＬＥＤを実装した照明基板が副制御部に接続されている。これにより、特許文献２に記載の操作スイッチは、検知センサと照明基板とをそれぞれ異なる制御部で制御することで、照明の発光パターンの多様化を図ることができるとされている。
【０００６】
しかしながら、特許文献２に記載の操作スイッチは、カバー部材とホルダとを組付けて構成した内部空間に検知センサや照明基板を収容しているため、万一、検知センサや照明基板に不具合が生じた場合、操作スイッチを分解しなければ、検知センサや照明基板を交換することができず、メンテナス性が悪いという問題があった。
【先行技術文献】
【特許文献】
【０００７】
【特許文献１】特開２０１３−２２０９６号公報
【特許文献２】特開２００７−７２６１号公報
【発明の概要】
【発明が解決しようとする課題】
【０００８】
本発明は、上述の問題に鑑み、演出の多様化に対応できるとともに、メンテナンス性を向上できる押しボタンスイッチ、及びスロットマシンを提供することを目的とする。
【課題を解決するための手段】
【０００９】
この発明は、ユーザーによる押下を許容する少なくとも１つの押下部材と、該押下部材が押下される押下方向に抗して前記押下部材を付勢する付勢部材と、前記押下部材が押下されたことを検知する押下検知ユニットと、これらを収容するハウジングとを備えた押しボタンスイッチであって、光を照射する光源を有する照明ユニットと、前記照明ユニットが照射した照射光を外部に透過する透過部とを備え、前記押下検知ユニットまたは前記照明ユニットのいずれか一方を、一方のユニットとし、前記押下方向と略直交する方向を直交方向として、前記ハウジングにおける前記押下方向の端部に、前記押下方向とは逆方向から前記一方のユニットの挿入を許容する挿入開口を有するとともに、挿入された前記一方のユニットを囲繞する略ボックス状に形成した第１ユニット収容部を備え、該第１ユニット収容部に対して前記直交方向に位置する前記ハウジングの側部に、前記逆方向から他方のユニットの挿入を許容する挿入開口を有するとともに、挿入された前記他方のユニットを囲繞する略ボックス状に形成した第２ユニット収容部を備えたことを特徴とする。
【００１０】
上記付勢部材は、弾性を有するバネや弾性を有する弾性部材などとすることができる。  
上記押下検知ユニットは、検知センサを収容したユニット、検知センサを実装した実装基板などとすることができる。  
上記照明ユニットは、ＬＥＤなどを光源として備えた実装基板、あるいは実装基板とこれを保持するホルダなどとすることができる。  
上記透過部は、照射光を外部に透過可能に構成した押下部材における透過部分、あるいは押下部材とハウジングとの隙間などとすることができる。
【００１１】
この発明により、演出の多様化に対応できるとともに、メンテナンス性を向上できる。  
具体的には、押下検知ユニット及び照明ユニットをそれぞれ別体で構成しているため、押しボタンスイッチは、例えば、スロットマシンにおける遊技制御手段と押下検知ユニットを接続し、演出制御手段と照明ユニットとを接続することで、演出の多様化に容易に対応することができる。
【００１２】
この際、照明ユニットを別体で構成しているため、押しボタンスイッチは、例えば、既成の検知センサユニットを押下検知ユニットとして用いることができ、押しボタンスイッチごとに異なる押下検知ユニットを不要にできるため、押下検知ユニットの共通化やコスト低減を図ることができる。
【００１３】
さらに、例えば、一方のユニットを押下検知ユニットとした場合、押下部材と押下検知ユニットとが押下方向で略対向するため、押しボタンスイッチは、押下部材の操作をより確実に検知することができる。  
あるいは、例えば他方のユニットを照明ユニットとした場合、第２ユニット収容部における押下方向の長さを確保し易いため、押しボタンスイッチは、照明ユニットの光源を押下方向における所望する位置に容易に配置することができる。
【００１４】
そして、第１ユニット収容部及び第２ユニット収容部における押下方向の端部に挿入開口が形成されているため、例えば、スロットマシンなどに装着した状態であっても、押しボタンスイッチは、スロットマシンの内部側から一方のユニット及び他方のユニットをそれぞれ別々に着脱することができる。
【００１５】
このため、一方のユニットあるいは他方のユニットのいずれかに不具合が生じた際、押しボタンスイッチは、不具合が生じたユニットだけを効率よく、かつ容易に交換することができる。
【００１６】
さらに、設置スペースや意匠などによって制限される直交方向の大きさに対して、押しボタンスイッチは、押下部材から第１ユニット収容部及び第２ユニット収容部の挿入開口までの押下方向における長さを確保し易いため、押下部材から侵入する静電気が流れる経路の距離である、所謂、沿面距離を長く確保することができる。
【００１７】
加えて、一方のユニット及び他方のユニットを囲繞するように第１ユニット収容部及び第２ユニット収容部を形成しているため、押しボタンスイッチは、例えば、電子部品を一方の面に実装した片面実装基板における他方の面を保護する保護部材を別途設けることを不要にできる。
【００１８】
これにより、押しボタンスイッチは、複数の部品の組合せた凹凸形状によって沿面距離を長く確保する場合に比べて、押下方向の長さを適宜の長さにするだけで、部品点数の増加を抑えて沿面距離を確保することができる。このため、ユーザーに帯電した静電気が内部に侵入しても、押しボタンスイッチは、一方のユニット及び他方のユニットに静電気が到達することを容易に防止できる。
【００１９】
ゆえに、押しボタンスイッチは、静電気を要因とする不具合の発生を抑制することができる。この際、押下方向における長さが長くなるため、押しボタンスイッチは、例えば、スロットマシンに装着された状態であっても一方のユニット及び他方のユニットに対してアクセスし易くなる。
【００２０】
すなわち、押下方向とは逆方向から一方のユニット及び他方のユニットを第１ユニット収容部及び第２ユニット収容部に収容する構成としたことにより、押しボタンスイッチは、沿面距離の確保と、メンテナス性の向上とを容易に両立することができる。
【００２１】
従って、押しボタンスイッチは、押下方向とは逆方向から押下検知ユニット、及び照明ユニットを収容する第１ユニット収容部及び第２ユニット収容部によって、演出の多様化に対応できるとともに、メンテナンス性を向上することができる。
【００２２】
この発明の態様として、前記一方のユニットを、前記第１ユニット収容部に螺設する構成とし、前記他方のユニットを、前記第２ユニット収容部に螺設する構成とすることができる。
【００２３】
この発明により、押しボタンスイッチは、一方のユニット及び他方のユニットを第１ユニット収容部及び第２ユニット収容部にそれぞれ嵌合爪によって嵌合する構成の場合に比べて、一方のユニット及び他方のユニットを取り外す際のメンテナンス性を向上することができる。
【００２４】
具体的には、例えば、第１ユニット収容部と一方のユニットとを嵌合爪によって嵌合する構成の場合、嵌合爪は、その大きさが非常に小さいものとなる。このため、第１ユニット収容部から一方のユニットを取り外す際、嵌合爪によって嵌合する構成では、嵌合爪を解放する作業性が悪く、かつ嵌合爪が容易に破損するおそれがある。
【００２５】
これに対して、一方のユニットを第１ユニット収容部に螺設する構成とし、他方のユニットを第２ユニット収容部に螺設する構成にしたことにより、押しボタンスイッチは、ネジを緩めるだけで一方のユニット及び他方のユニットを容易に取り外すことができる。  
従って、押しボタンスイッチは、嵌合爪によって嵌合する構成の場合に比べて、一方のユニット及び他方のユニットを取り外す際のメンテナンス性を向上することができる。
【００２６】
またこの発明の態様として、前記一方のユニットまたは／および前記他方のユニットを、前記直交方向から螺合する螺合手段によって各ユニット収容部に螺設する構成とすることができる。  
上記螺合手段は、一方のユニットまたは／および他方のユニットに設けたネジ孔やナットなどの雌ネジに螺合するネジやボルトなどの雄ネジ、あるいは一方のユニットまたは／および他方のユニットに設けたスタッドボルトなどの雄ネジに螺合するナットなどの雌ネジとすることができる。
【００２７】
この発明により、押しボタンスイッチは、押下部材の操作に伴う振動によって一方のユニットまたは／および他方のユニットが脱落することを抑制できる。  
具体的には、一方のユニットまたは／および他方のユニットに設けたネジ孔に螺合するネジを螺合手段とした場合、押下部材やハウジングを介して伝達したユーザーの操作による振動が、一方のユニットまたは／および他方のユニットを押下方向及び逆方向に繰返し揺動させることで、ネジの緩みが生じるおそれがある。
【００２８】
このため、例えば、押下方向とは逆方向から螺合するネジによって他方のユニットを第２ユニット収容部に装着した場合、ネジの緩みが生じると、押しボタンスイッチは、ネジとともに第２ユニット収容部から他方のユニットが脱落するおそれがある。
【００２９】
これに対して、螺合手段を直交方向から螺合することにより、押しボタンスイッチは、万一、螺合手段の緩みが生じても螺合手段が押下方向に脱落することを抑制できる。このため、押しボタンスイッチは、螺合手段の脱落を抑制するとともに、第２ユニット収容部から他方のユニットが脱落することを抑制できる。
【００３０】
従って、押しボタンスイッチは、直交方向から螺合する螺合手段で螺設することにより、振動による一方のユニットまたは／および他方のユニットの脱落を抑制することができる。
【００３１】
またこの発明の態様として、前記他方のユニットを、少なくとも一方の面に所定の電子部品を実装した実装基板と、該実装基板を保持するとともに、前記第２ユニット収容部に挿入される基板ホルダとで構成し、該基板ホルダに、前記第２ユニット収容部の端面と当接するフランジ部を備えることができる。  
上記所定の電子部品は、照明ユニットにおけるＬＥＤや抵抗器、あるいは押下検知ユニットにおける検知センサなどとすることができる。
【００３２】
この発明により、押しボタンスイッチは、厚みの薄い実装基板の着脱を容易にすることができる。  
具体的には、他方のユニットを実装基板で構成した場合、沿面距離の確保のため、他方のユニットは、実装基板が第２ユニット収容部に埋没することとなる。このため、他方のユニットは、作業者が保持する部分が少なくなり、第２ユニット収容部からの取り外しが容易ではなくなる。
【００３３】
そこで、実装基板と基板ホルダとで他方のユニットを構成したことにより、他方のユニットは、実装基板を第２ユニット収容部に埋没させるとともに、基板ホルダを第２ユニット収容部から露出させることができる。このため、作業者は、基板ホルダを保持することで実装基板を第２ユニット収容部から容易に取り外すことができる。
【００３４】
さらに、実装基板を第２ユニット収容部に埋没できるため、押しボタンスイッチは、第２ユニット収容部における沿面距離を確実に確保することができる。  
従って、押しボタンスイッチは、実装基板と基板ホルダとで他方のユニットを構成したことにより、厚みの薄い実装基板の着脱を容易にでき、メンテナンス性を向上することができる。
【００３５】
またこの発明の態様として、前記実装基板を、前記一方の面に前記所定の電子部品を実装した片面実装基板とすることができる。  
この発明により、押しボタンスイッチは、押下部材から所定の電子部品までの沿面距離をさらに長く確保することができ、所定の電子部品に静電気が流れることをより確実に防止することができる。
【００３６】
このため、押しボタンスイッチは、静電気が流れることによる所定の電子部品の不具合を防止することができる。  
従って、押しボタンスイッチは、演出の多様化に対応できるとともに、メンテナンス性をより向上することができる。
【００３７】
またこの発明の態様として、前記一方のユニットを、前記押下検知ユニットとし、前記他方のユニットを、前記照明ユニットとすることができる。  
この発明により、押しボタンスイッチは、押下部材と押下方向で略対向するように押下検知ユニットを配置することができるとともに、透過部により近い位置に照明ユニットの光源を容易に配置することができる。
【００３８】
このため、押下検知ユニットは、押下部材の操作をより確実に、かつ安定して検知することができる。一方、照明ユニットは、透過部を介して外部に照射光をより確実に照射することができる。  
従って、押しボタンスイッチは、押下部材の操作のより確実な検知と、演出の多様化とを両立することができる。
【００３９】
またこの発明は、上述した押しボタンスイッチと、遊技の進行を制御するとともに、遊技にかかる所定の制御情報を送信する遊技制御手段を有する遊技制御基板と、取得した前記所定の制御情報に基づいて、遊技の進行に応じた各種演出を遊技の進行に応じて制御する演出制御手段を有する演出制御基板と、前記遊技制御手段、及び前記演出制御手段を電気的に接続する接続手段とを備えたスロットマシンであって、前記遊技制御手段、及び押下部材が押下されたことを検知する押下検知ユニットを接続する第１ユニット接続手段と、前記演出制御手段、及び光を照射する光源を有する照明ユニットを接続する第２ユニット接続手段とを備えたことを特徴とする。  
上記接続手段は、電気的な接続による接続手段、光通信による接続手段、あるいは無線による接続手段などとすることができる。
【００４０】
この発明により、スロットマシンは、演出の多様化に対応することができるとともに、メンテナンス性を向上することができる。  
具体的には、スロットマシンは、押下検知ユニットを遊戯制御手段で制御でき、照明ユニットを演出制御手段で制御することができる。このため、スロットマシンは、各種演出に応じて照明ユニットの発光パターンを多様化することができる。
【００４１】
さらに、押しボタンスイッチのメンテナス性を向上しているため、スロットマシンは、押しボタンスイッチを筐体に装着したまま、押下検知ユニット及び照明ユニットをそれぞれ個別に交換することができる。  
従って、スロットマシンは、遊技制御手段及び演出制御手段にそれぞれ接続可能な押しボタンスイッチを備えたことにより、演出の多様化に対応することができるとともに、メンテナンス性を向上することができる。
【発明の効果】
【００４２】
本発明により、演出の多様化に対応できるとともに、メンテナンス性を向上できる押しボタンスイッチ、及びスロットマシンを提供することができる。
【図面の簡単な説明】
【００４３】
【図１】スロットマシンにおける正面からの外観を示す正面図。
【図２】スロットマシンの前扉を開放した状態における外観を示す外観斜視図。
【図３】スロットマシンにおける内部構成を示すブロック図。
【図４】最大ベットスイッチにおける上方からの外観を示す外観斜視図。
【図５】最大ベットスイッチにおける下方からの外観を示す外観斜視図。
【図６】分解状態における最大ベットスイッチの上方からの外観を示す分解斜視図。
【図７】分解状態における最大ベットスイッチの下方からの外観を示す分解斜視図。
【図８】分解状態における押下部材の上方からの外観を示す分解斜図。
【図９】ボタン照明ユニットの構成を説明する説明図。
【図１０】最大ベットスイッチにおける前後方向の断面を示す前後方向断面図。
【図１１】最大ベットスイッチにおける幅方向の断面を示す幅方向断面図。
【発明を実施するための形態】
【００４４】
この発明の一実施形態を以下図面と共に説明する。  
まず、本実施例におけるスロットマシン１について、図１から図３を用いて詳しく説明する。  
なお、図１はスロットマシン１における外観の正面図を示し、図２はスロットマシン１の前扉２を開放した状態における外観斜視図を示し、図３はスロットマシン１における内部構成のブロック図を示している。
【００４５】
スロットマシン１は、図１及び図２に示すように、正面視略矩形の箱状体であって、遊技者と対面する前扉２と、遊技者側が開口した筐体本体３とで構成している。なお、前扉２は、筐体本体３の前方左端を回転中心にして開閉可能に取り付けられている。  
前扉２における遊技者と対面する表面部分には、図１に示すように、上部ランプ１１、液晶モニタ１２、及び表示窓１３を上方からこの順番で配置している。
【００４６】
さらに、表示窓１３の下方には、メダル投入口１４、最大ベットスイッチ１５、及びベットスイッチ１６を右側からこの順で並置するとともに、その下方に３つのストップスイッチ１７、及びスタートスイッチ１８を右側からこの順で並置している。  
そして、さらにその下方には、下部ランプ１９、スピーカー２０、メダル払出口２１、及びメダル受け皿２２が上方からこの順番で配置している。
【００４７】
前扉２における裏面部分には、図２に示すように、メダル投入口１４に接続されたメダルセレクタ２３、及びメダルセレクタ２３を介してメダル投入口１４とメダル払出口２１とを接続するメダルシュート２４を配置している。なお、メダルシュート２４は、メダルが流通可能に形成している。
【００４８】
一方、筐体本体３の内部には、図２に示すように、リールユニット３１、ホッパーユニット３２、電源ユニット３３、遊技制御装置４０、及び演出制御装置５０を配置している。なお、遊技制御装置４０と演出制御装置５０とは、ハーネス３４を介して電気的に接続している。
【００４９】
より詳しくは、スロットマシン１は、図３に示すように、メダルセレクタ２３、ベットスイッチ１６、最大ベットスイッチ１５、スタートスイッチ１８、リールユニット３１、表示窓１３、ストップスイッチ１７、ホッパーユニット３２、液晶モニタ１２、液晶制御基板２５、上部ランプ１１、下部ランプ１９、照明制御基板２６、スピーカー２０、音声制御基板２７、電源ユニット３３、遊技制御装置４０、及び演出制御装置５０で構成している。
【００５０】
メダルセレクタ２３は、遊技者によってメダル投入口１４に投入されたメダルを検知する投入センサ２３ａ、及びソレノイド２３ｂなどで構成し、所定の信号線を介して遊技制御装置４０に接続している。  
なお、ソレノイド２３ｂは、投入されたメダルの搬送先を択一的に切り替える機能を有しており、遊技制御装置４０の指示によって、ホッパーユニット３２、あるいはメダルシュート２４のいずれか一方にメダルを排出する。
【００５１】
ベットスイッチ１６は、遊技制御装置４０が記憶しているメダル、所謂クレジットに貯留されているメダルから１枚のメダルの投入を所望する遊技者の操作を受付ける機能を有している。このベットスイッチ１６は、所定の信号線を介して遊技制御装置４０に接続している。
【００５２】
最大ベットスイッチ１５は、クレジットに貯留されているメダルから１回の遊技で使用する最大枚数のメダルの投入を所望する遊技者の操作を受付ける機能と、遊技の進行に応じて発光する機能とを有している。この最大ベットスイッチ１５は、遊技者による押下操作を検知する押下検知ユニット４００や演出制御装置５０の指示によって発光する照明ユニット５００などで構成している。
【００５３】
なお、押下検知ユニット４００が、第１信号線３５を介して遊技制御装置４０に接続されるとともに、照明ユニット５００が、第２信号線３６を介して演出制御装置５０に接続されている。最大ベットスイッチ１５については、後ほど詳しく説明する。
【００５４】
スタートスイッチ１８は、所定の信号線を介して遊技制御装置４０に接続され、後述するリールユニット３１を構成する各リールの回転開始を所望する遊技者の操作を受付ける機能を有している。
【００５５】
リールユニット３１は、左右方向を回転軸として同軸回転可能に並置した略円筒状の左リール３１ａ、中リール３１ｂ、及び右リール３１ｃと、各リールに連結された駆動モーター３１ｄと、各リールに１つずつ設けた突起状のリールインデックス（図示省略）を検出する位置センサ３１ｅなどで構成している。
【００５６】
このリールユニット３１は、所定の信号線を介して遊技制御装置４０に接続されている。なお、詳細な図示を省略するが、左リール３１ａ、中リール３１ｂ、及び右リール３１ｃには、複数の図柄がプリントされた図柄シールがそれぞれ貼付されている。
【００５７】
表示窓１３は、図１に示すように、リールユニット３１の各リールが視認可能な左右方向の長さを有するとともに、停止した状態における各リールの３つの図柄が視認可能な上下方向の長さを有する略矩形であって、無色透明に形成している。
【００５８】
ストップスイッチ１７は、左リール３１ａに対応する左ストップスイッチ１７ａ、中リール３１ｂに対応する中ストップスイッチ１７ｂ、及び右リール３１ｃに対応する右ストップスイッチ１７ｃで構成するとともに、所定の信号線を介して遊技制御装置４０に接続している。このストップスイッチ１７は、対応するリールの回転停止を所望する遊技者の操作を受付ける機能を有している。
【００５９】
ホッパーユニット３２は、メダルセレクタ２３から搬送されたメダルを貯留するホッパー容器３２ｃ、ホッパー容器３２ｃから溢れ出したメダルを貯留する補助タンク（図示省略）、メダルの払出しを行う駆動モーター３２ａ、及び払い出されるメダルを１枚ずつ検知する払出しセンサ３２ｂなどで構成している。
【００６０】
このホッパーユニット３２は、投入されたメダルを貯留する機能と、所定の信号線を介して接続された遊技制御装置４０の指示によって、メダル払出口２１を介してメダル受け皿２２にメダルを排出する機能とを有している。
【００６１】
液晶モニタ１２は、遊技中の各種演出画面や操作の案内画面を表示する機能を有している。この液晶モニタ１２は、所定の信号線を介して接続された液晶制御基板２５によって制御されている。  
液晶制御基板２５は、所定の信号線を介して接続された演出制御装置５０の指示によって、遊技の進行に応じた各種演出画面や操作の案内画面などを示す画面情報を液晶モニタ１２に出力する機能を有している。
【００６２】
上部ランプ１１、及び下部ランプ１９は、ＬＥＤなどで構成され、所定の信号線を介して接続された照明制御基板２６によって制御されている。  
照明制御基板２６は、所定の信号線を介して接続された演出制御装置５０の指示によって、上部ランプ１１、及び下部ランプ１９を点灯、消灯、あるいは点滅させる機能を有している。
【００６３】
スピーカー２０は、所定の信号線を介して音声制御基板２７に接続され、遊技の進行に応じて音声を出力する機能を有している。  
音声制御基板２７は、所定の信号線を介して接続された演出制御装置５０の指示によって、スピーカー２０を制御する機能を有している。
【００６４】
電源ユニット３３は、外部から供給される電力を制御する機能と、制御した電力を上述した各部に供給する機能とを有している。なお、電源ユニット３３には、図２に示すように、電力の供給のオン、オフを切り替える電源スイッチ３３ａを前面に設けている。
【００６５】
遊技制御装置４０を構成する遊技制御基板４１は、図３に示すように、乱数発生回路４２、送信回路４３、及びこれらとデータバス（図示省略）を介して接続されるとともに、これらの動作を制御する第１マイクロコンピュータ４４を備えている。
【００６６】
乱数発生回路４２は、カウンタ回路、及びラッチ回路で構成され、所定の範囲内で乱数値を発生させる機能を有している。  
送信回路４３は、第１マイクロコンピュータ４４が生成したコマンドを制御信号に変換する機能と、ハーネス３４を介して演出制御装置５０に制御信号を送信する機能とを有している。なお、制御信号は、遊技制御装置４０から演出制御装置５０への一方向のみに送信される。
【００６７】
第１マイクロコンピュータ４４は、所謂、ワンチップマイコンであって、Ｉ／Ｏポート、ＲＯＭ、ＲＡＭ、及びＣＰＵで一体構成し、各部の動作を制御するとともに、遊技の進行を制御する機能を有している。
【００６８】
また、演出制御装置５０を構成する演出制御基板５１は、図３に示すように、乱数発生回路５２、受信回路５３、及びこれらとデータバス（図示省略）を介して接続されるとともに、これらの動作を制御する第２マイクロコンピュータ５４を備えている。  
乱数発生回路５２は、カウンタ回路、及びラッチ回路で構成され、所定の範囲内で乱数値を発生させる機能を有している。
【００６９】
受信回路５３は、遊技制御基板４１の送信回路４３から受信した制御信号を、コマンドに変換する機能と、変換したコマンドを一時記憶する機能と、第２マイクロコンピュータ５４の割り込み制御によって、記憶したコマンドを第２マイクロコンピュータ５４に出力する機能とを有している。
【００７０】
第２マイクロコンピュータ５４は、所謂、ワンチップマイコンであって、Ｉ／Ｏポート、ＲＯＭ、ＲＡＭ、及びＣＰＵで一体構成し、演出制御装置５０及び演出制御装置５０に接続された各部の動作を制御するとともに、遊技の進行に応じた演出を制御する機能を有している。
【００７１】
このようなスロットマシン１における最大ベットスイッチ１５について、図４から図１１を用いて詳しく説明する。  
なお、図４は最大ベットスイッチ１５における上方からの外観斜視図を示し、図５は最大ベットスイッチ１５における下方からの外観斜視図を示し、図６は分解状態における最大ベットスイッチ１５の上方からの分解斜視図を示している。
【００７２】
さらに、図７は分解状態における最大ベットスイッチ１５の下方からの分解斜視図を示し、図８は分解状態における押下部材１００の上方からの分解斜図を示し、図９は照明ユニット５００の構成を説明する説明図を示し、図１０は最大ベットスイッチ１５における前後方向Ｘの断面の前後方向断面図を示し、図１１は最大ベットスイッチ１５における幅方向Ｙの断面の幅方向断面図を示している。
【００７３】
加えて、図９において、図９（ａ）は分解状態における照明ユニット５００の上方からの分解斜視図を示し、図９（ｂ）は分解状態における照明ユニット５００の下方からの分解斜視図を示している。  
また、図１１中において図示を明確にするため、押下検知ユニット４００、及び照明ユニット５００の図示を省略している。  
さらにまた、図４中において、矢印Ｘは前後方向（以下、「前後方向Ｘ」とする）を示し、矢印Ｙは幅方向（以下「幅方向Ｙ」とする）を示している。さらに、図４中における左下方向を前方とし、右上方向を後方とし、左上方向及び右下方向を幅方向Ｙにおける外方とし、図４中の上側を上方とし、図４中の下側を下方とする。
【００７４】
最大ベットスイッチ１５は、図４から図７に示すように、前後方向Ｘ及び幅方向Ｙの長さに対して、上下方向の長さが長い押しボタンスイッチであって、遊技者による押下によって上方から下方へスライドする押下部材１００と、押下部材１００を上方へ向けて付勢するスプリング２００と、押下部材１００の脱落を阻止するロックプレート３００と、押下部材１００の押下を検知する押下検知ユニット４００と、演出に応じた照射光を照射する照明ユニット５００と、これらを収容するハウジング６００とで構成している。
【００７５】
なお、最大ベットスイッチ１５は、押下部材１００、スプリング２００、ハウジング６００、ロックプレート３００、押下検知ユニット４００、及び照明ユニット５００を、上方からこの順番で組付けている。
【００７６】
より詳しくは、押下部材１００は、図８に示すように、上面に「ＭＡＸ」の文字が描かれた意匠部１１０と、ハウジング６００の内部に収容される本体部１２０とを、上方からこの順番で組み付けて構成している。
【００７７】
意匠部１１０は、図８、図１０、及び図１１に示すように、平面視における形状を前方側が短辺の略台形に形成するとともに、幅方向Ｙにおける断面形状が断面視略門型形状となるよう形成している。さらに、意匠部１１０の隅部には、本体部１２０と嵌合する嵌合孔１１１を４つ形成している。
【００７８】
この意匠部１１０は、上面に配置されるとともに、「ＭＡＸ」の文字形状に打ち抜かれた抜き文字パネル１１２と、平面視略台形で、かつ幅方向Ｙの断面形状が断面視略門型形状に形成するとともに、抜き文字パネル１１２の形状に合わせて上面を下方に凹設した意匠部本体１１３と、意匠部本体１１３の外周を囲繞する外周囲繞枠１１４とで一体構成している。
【００７９】
なお、意匠部本体１１３は、光を透過する透過性を有する合成樹脂で形成している。一方、抜き文字パネル１１２及び外周囲繞枠１１４は、光を透過しない不透明色の合成樹脂で形成している。すなわち、意匠部１１０は、「ＭＡＸ」の文字部分と、意匠部本体１１３における抜き文字パネル１１２及び外周囲繞枠１１４に覆われていない部分とを、光を透過する透過部分１１５として構成している。
【００８０】
本体部１２０は、図８、図１０、及び図１１に示すように、上下方向に開口した内部中空の本体上部１２１と、本体上部１２１の下端を下方に延設した本体下部１２２と、本体下部１２２の下端から下方に延設した２つの係止脚部１２３とを上方からこの順番で一体形成している。なお、本体部１２０は、光を反射し易い白色系の合成樹脂で形成している。
【００８１】
本体上部１２１は、平面視略台形の閉断面形状を下方に延設するとともに、側面視略台形の筒状体に形成している。なお、本体上部１２１の外周形状は、平面視において、意匠部１１０の内周形状と略同等の大きさに形成している。さらに、本体上部１２１における上端近傍には、外方に向けて突設したフランジ１２４を形成している。
【００８２】
このフランジ１２４は、平面視において、意匠部１１０の外周形状と略同等の大きさの平面視略台形であって、意匠部１１０の下面と上下方向で当接する位置に形成している。なお、フランジ１２４の隅部には、意匠部１１０の嵌合孔１１１に嵌合する４つの嵌合爪１２５を上方に向けて立設している。
【００８３】
本体下部１２２は、本体上部１２１の下端から下方に延びる略円柱状体の内部をくり貫いて、本体上部１２１の内部空間と連通する内部空間を有する内部中空形状に形成している。さらに、本体下部１２２は、少なくとも後述する照明ユニット５００のＬＥＤ５１２と対向する部分を開口するとともに、本体下部１２２の内部空間と連通する照明取込口１２６を開口形成している。なお、本体下部１２２における内面は、照明取込口１２６と前後方向Ｘで対向する部分が湾曲する形状に形成している。
【００８４】
加えて、本体下部１２２の下面には、平面視における略中央に配置したスプリング支持部１２７（図７参照）と、平面視における前方近傍に配置した遮光板１２８とを下方に向けて突設している。  
スプリング支持部１２７は、スプリング２００の内径と略同等の外径を有するとともに、スプリング２００を軸支可能な略円筒状に形成している。
【００８５】
遮光板１２８は、幅方向Ｙに所定の厚みを有するとともに、押下部材１００が下方に押下された際、後述する押下検知ユニット４００における発光部４０２と受光部４０３との間を横断するセンサ光を、遮光する上下方向の長さを有する略平板形状に形成している。
【００８６】
係止脚部１２３は、平面視略円弧状であって、本体下部１２２の下面における幅方向Ｙの両端から下方に延設して形成している。この係止脚部１２３の先端には、後述するハウジング６００の被係止部６１５に係止する係止爪１２３ａを、幅方向Ｙの外方に向けて形成している。
【００８７】
スプリング２００は、図６に示すように、所定の直径を有するバネ鋼線を、所定の巻き数、及び巻きピッチで上下方向に巻き回して形成している。このスプリング２００は、図１０に示すように、押下部材１００とハウジング６００とで挟持され、押下部材１００を上方に向けて付勢している。
【００８８】
ロックプレート３００は、図１１に示すように、ハウジング６００に組み付けた状態において、幅方向Ｙにおける内方への係止脚部１２３の変形を阻止する、すなわち係止状態が解除されてハウジング６００から押下部材１００が抜けることを阻止するように形成している。
【００８９】
詳しくは、ロックプレート３００は、図６、図７、及び図１１に示すように、幅方向Ｙにおける両端に配置した２つの規制部３０１と、２つの規制部３０１の前端近傍を幅方向Ｙで連結する連結部３０２とで一体形成している。なお、ロックプレート３００は、押下部材１００の係止脚部１２３における幅方向Ｙの間隔と略同等の幅方向Ｙの長さを有するように２つの規制部３０１を配置している。
【００９０】
規制部３０１は、前後方向Ｘに長い平面視略矩形の立方体における他方の規制部３０１と対向する側面を、幅方向Ｙの外方に向けて凹設するように湾曲した形状に形成している。さらに、２つの規制部３０１は、ハウジング６００に組付けた状態において、上部が係止脚部１２３の下部と幅方向Ｙで対向する上下方向の長さを有する形状に形成している。
【００９１】
連結部３０２は、平面視において、規制部３０１の湾曲した面と連続して湾曲するとともに、幅方向Ｙの略中央部分が後方に向けて突出した平面視略凸形状であって、規制部３０１の上下方向の長さより短い上下方向の長さを有する形状に形成している。  
なお、規制部３０１及び連結部３０２の連続する湾曲した面は、後述するハウジング６００の第１ユニット結合部６１２及び第１ユニット結合部６１３の外周面に沿うように形成している。
【００９２】
押下検知ユニット４００は、図６及び図７に示すように、所謂、透過型フォトセンサであって、上下方向を厚み方向とする略平板状の基部４０１における前端近傍に、センサ光を照射する発光部４０２と、センサ光を受光する受光部４０３とを、幅方向Ｙに所定間隔を隔てて配置して構成している。
【００９３】
この押下検知ユニット４００は、発光部４０２と受光部４０３との間を遮光版１２８が通過したか否かを、受光部４０３がセンサ光を受光しているか否かで検知する。  
なお、押下検知ユニットの基部４０１は、第１信号線３５を接続するコネクタ４０４を前方側に設けるとともに、ネジ１５ａの挿通を許容するネジ挿通孔４０５、及び後述するハウジング６００の第１ユニット結合部６１３に嵌合する突起部４０６を後方側に形成している。
【００９４】
照明ユニット５００は、図６、図７、及び図９に示すように、前後方向Ｘに厚みを有する片面実装基板５１０と、片面実装基板５１０における下部を保持する基板ホルダ５２０とで構成している。  
片面実装基板５１０は、前後方向Ｘに厚みを有するとともに、上下方向を長手方向とする略矩形であって、上下方向の略中央近傍に基板ホルダ５２０が嵌合するホルダ嵌合孔５１１を開口形成している。
【００９５】
さらに、片面実装基板５１０は、前方側の面における上端近傍にＬＥＤ５１２を配置し、その下方に複数の抵抗器５１３を配置し、ホルダ嵌合孔５１１を挟んだ下端近傍に第２信号線３６を接続するコネクタ５１４を配置している。
【００９６】
基板ホルダ５２０は、片面実装基板５１０を保持するホルダ本体５２１と、ホルダ本体５２１の下端から外方に向けて突設したフランジ５２２とで一体形成している。  
ホルダ本体５２１は、後方側が開口した平面視略門型の断面形状を、上下方向に延接して形成している。なお、ホルダ本体５２１の下縁は、側面視において、前方側に対して後方側が下方に位置するクランク形状となるように形成している。
【００９７】
さらに、ホルダ本体５２１の内部には、後方へ向けて立設するとともに、ネジ１５ｂの螺合を許容するネジ孔（図示省略）を有する略円筒状の基板嵌合部５２３を備えている。この基板嵌合部５２３は、片面実装基板５１０におけるホルダ嵌合孔５１１の直径より大きい外径部分と、ホルダ嵌合孔５１１に嵌合可能な外径部分とを、前方からこの順番で一体形成している。
【００９８】
フランジ５２２は、ホルダ本体５２１における側面の下縁に沿って側面視クランク状に形成した側方部分５２４と、側方部分５２４の後端を幅方向Ｙで連結する連結部分５２５とで、コネクタ５１４が外部に露出するようにして一体形成している。
【００９９】
ハウジング６００は、図６、図７、図１０、及び図１１に示すように、押下部材１００の意匠部１１０を収容するハウジング上部６０１と、押下部材１００の本体部１２０を収容するハウジング下部６０２と、ハウジング下部６０２の前方側において押下検知ユニット４００を収容する第１ユニット収容部６０３とを上方からこの順番で一体形成するとともに、第１ユニット収容部６０３の後方に位置して照明ユニット５００を収容する第２ユニット収容部６０４を一体形成している。
【０１００】
ハウジング上部６０１は、平面視略台形の閉断面形状を下方に延設して形成した上方側壁部６０５と、上方側壁部６０５の下端に配置するとともに、押下部材１００における本体部１２０の挿通を許容する開口を有する環状底部６０６と、上方側壁部６０５の上端を外方に向けて突設したフランジ６０７とで形成している。
【０１０１】
ハウジング下部６０２は、ハウジング上部６０１における環状底部６０６の内周縁から下方延設するとともに、下方側に底部６０８を有する略円筒状に形成している。このハウジング下部６０２における後方側の側部には、前後方向Ｘにおいて、押下部材１００の照明取込口１２６と対向する照明開口部６０９を開口形成している。
【０１０２】
さらに、ハウジング下部６０２の底部６０８は、平面視略中央を下方に向けて凹設してスプリング２００の下部を収容保持可能に形成するとともに、押下部材１００における遮光板１２８の挿通を許容する遮光板挿通孔６１０と、係止脚部１２３の挿通を許容する２つの係止脚部挿通孔６１１とを、上下方向に開口形成している。  
加えて、底部６０８の下面側には、前後方向Ｘの略中央において、下方に延設した略円筒状の第１ユニット結合部６１２，６１３を、幅方向Ｙに２つ並置するように形成している。
【０１０３】
この２つの第１ユニット結合部６１２，６１３のうち、一方の第１ユニット結合部６１２には、押下検知ユニット４００をハウジング６００に締結するネジ１５ａの螺合を許容するネジ孔（図示省略）を形成し、他方の第１ユニット結合部６１３には、押下検知ユニット４００における基部４０１の突起部４０６を嵌合する嵌合孔（図示省略）を形成している。
【０１０４】
第１ユニット収容部６０３は、遮光板挿通孔６１０、係止脚部挿通孔６１１、及び第１ユニット結合部６１２，６１３を囲繞するとともに、押下検知ユニット４００が押下部材１００と上下方向で略対向するようにハウジング下部６０２から下方に延設して形成している。
【０１０５】
詳しくは、第１ユニット収容部６０３は、発光部４０２及び受光部４０３を前方側に配置した押下検知ユニット４００と、押下検知ユニット４００における基部４０１の後方上方に配置したロックプレート３００とを囲繞する大きさで、前方側が突出した略凸状の平面視閉断面形状を下方向に延設した多角筒状体に形成している。
【０１０６】
換言すると、第１ユニット収容部６０３は、略凸状の平面視閉断面形状を有する多角筒状体における上方側の開口をハウジング下部６０２の底部６０８で閉塞するとともに、下方側の開口を押下検知ユニット４００の挿入を許容する第１ユニット挿入部６１４とした上下方向に長い略ボックス状に形成している。  
さらに、ロックプレート３００を収容する幅広部分の内面には、押下部材１００における係止脚部１２３の係止爪１２３ａが係止する被係止部６１５を２つ形成している。
【０１０７】
第２ユニット収容部６０４は、第１ユニット収容部６０３に対して後方向で対向するとともに、ハウジング上部６０１の下端から第１ユニット収容部６０３の下端近傍に至る上下方向の長さを有する形状に形成している。
【０１０８】
詳しくは、第２ユニット収容部６０４は、ハウジング下部６０２に対して少なくとも片面実装基板５１０の厚みより僅かに大きい間隔を隔てて後方側に配置した背面部分６１６と、背面部分６１６における幅方向Ｙの両端から前方に向けて延設した側面部分６１７と、ハウジング下部６０２及び第１ユニット収容部６０３とで、照明ユニット５００を囲繞する大きさに形成している。
【０１０９】
換言すると、第２ユニット収容部６０４は、ハウジング上部６０１の環状底部６０６で上方側の開口を閉塞するとともに、下方側の開口を照明ユニット５００の挿入を許容する第２ユニット挿入部６１８とした上下方向に長い略ボックス状に形成している。
【０１１０】
なお、第２ユニット収容部６０４における背面部分６１６及び側面部分６１７の下縁は、照明ユニット５００における基板ホルダ５２０のホルダフランジ１２４と上下方向で当接する形状に形成している。さらに、第２ユニット収容部６０４における背面部分６１６には、照明ユニット５００を締結するネジ１５ｂの挿通を許容するネジ挿通孔６１９を形成している。
【０１１１】
このような構成の最大ベットスイッチ１５の組付け方法について、説明する。  
ハウジング下部６０２の底部６０８にスプリング２００を上方から収容したハウジング６００に対して、押下部材１００を上方から挿入するとともに、押下部材１００の係止脚部１２３を、ハウジング６００の被係止部６１５に係止する。
【０１１２】
そして、第１ユニット挿入部６１４を介してハウジング６００の第１ユニット収容部６０３に、ロックプレート３００、押下検知ユニット４００の順に挿入するとともに、押下検知ユニット４００の突起部４０６を、ハウジング６００の第１ユニット結合部６１３に嵌合する。
【０１１３】
その後、押下検知ユニット４００のネジ挿通孔４０５を介して、下方からネジ１５ａを第１ユニット結合部６１２に螺合することで、押下検知ユニット４００を第１ユニット収容部６０３に締結する。
【０１１４】
さらに、第２ユニット挿入部６１８を介して、ハウジング６００の第２ユニット収容部６０４に照明ユニット５００を挿入するとともに、ネジ挿通孔６１９を介して、後方からネジ１５ｂを基板嵌合部５２３に螺合することで、照明ユニット５００を第２ユニット収容部６０４に締結して、最大ベットスイッチ１５を構成する。
【０１１５】
このように組付けた最大ベットスイッチ１５を、ハウジング上部６０１のフランジ６０７及び押下部材１００が外部に露出するようにして前扉２に所定のネジ等で固定するとともに、第１信号線３５で押下検知ユニット４００と遊技制御装置４０とを電気的に接続し、第２信号線３６で照明ユニット５００と演出制御装置５０とを電気的に接続してスロットマシン１を構成する。
【０１１６】
以上のような構成のスロットマシン１は、遊技者による最大ベットスイッチ１５の押下を押下検知ユニット４００が検知すると、遊技制御装置４０において、ハズレを含む１つの役抽選結果を選出する。そして、スロットマシン１は、選出した役抽選結果を、演出制御装置５０に送信するとともに、リールユニット３１の各リールの回転を開始する。
【０１１７】
その後、スロットマシン１は、演出制御装置５０において、役抽選結果に基づいて、遊技者に対して報知する演出の内容を決定する。演出の内容を決定すると、演出制御装置５０は、演出内容に対応する演出情報を液晶モニタ１２やスピーカー２０、最大ベットスイッチ１５の照明ユニット５００などに出力して、遊技者に対して演出を報知する。
【０１１８】
この際、演出制御装置５０は、演出内容に応じて照明ユニット５００の発光パターンなどを制御する。そして、最大ベットスイッチ１５の照明ユニット５００は、演出制御装置５０の指示にしたがって、ＬＥＤ５１２を発光する。ＬＥＤ５１２が照射した照射光は、押下部材１００における本体部１２０の湾曲した内面によって上方に向けて偏向され、意匠部１１０の透過部分１１５を介して外部に放射される。
【０１１９】
以上のような動作を実現する最大ベットスイッチ１５、及びスロットマシン１は、演出の多様化に対応できるとともに、メンテナンス性を向上できる。  
具体的には、押下検知ユニット４００及び照明ユニット５００をそれぞれ別体で構成しているため、最大ベットスイッチ１５は、遊技制御装置４０と押下検知ユニット４００を接続し、演出制御装置５０と照明ユニット５００とを接続することで、演出の多様化に容易に対応することができる。
【０１２０】
この際、照明ユニット５００を別体で構成しているため、最大ベットスイッチ１５は、例えば、既存の透過型フォトセンサを押下検知ユニット４００として用いることができるため、押下検知ユニット４００の共通化やコスト低減を図ることができる。
【０１２１】
さらに、押下部材１００と押下検知ユニット４００とが上下方向で略対向するため、最大ベットスイッチ１５は、押下部材１００の操作をより確実に検知することができる。
【０１２２】
加えて、第２ユニット収容部６０４における上下方向の長さを確保し易いため、最大ベットスイッチ１５は、上下方向における所望する位置にＬＥＤ５１２を容易に配置することができる。
【０１２３】
そして、第１ユニット収容部６０３に第１ユニット挿入部６１４が形成され、第２ユニット収容部６０４に第２ユニット挿入部６１８が形成されているため、スロットマシン１の前扉２に装着した状態であっても、最大ベットスイッチ１５は、前扉２の裏面から押下検知ユニット４００及び照明ユニット５００をそれぞれ別々に着脱することができる。
【０１２４】
このため、押下検知ユニット４００あるいは照明ユニット５００のいずれかに不具合が生じた際、最大ベットスイッチ１５は、不具合が生じたユニットだけを効率よく、かつ容易に交換することができる。
【０１２５】
さらに、設置スペースや意匠などによって制限される前後方向Ｘ及び幅方向Ｙの大きさに対して、最大ベットスイッチ１５は、押下部材１００から第１ユニット収容部６０３及び第２ユニット収容部６０４の挿入開口までの上下方向における長さを確保し易いため、押下部材１００から侵入する静電気が流れる経路の距離である、所謂、沿面距離を長く確保することができる。
【０１２６】
加えて、照明ユニット５００を囲繞するように第２ユニット収容部６０４を形成しているため、最大ベットスイッチ１５は、片面実装基板５１０における他方の面を保護する保護部材を別途設けることを不要にできる。
【０１２７】
これにより、最大ベットスイッチ１５は、複数の部品の組合せた凹凸形状によって沿面距離を長く確保する場合に比べて、上下方向の長さを適宜の長さにするだけで、部品点数の増加を抑えて沿面距離を確保することができる。このため、遊技者に帯電した静電気が内部に侵入しても、最大ベットスイッチ１５は、照明ユニット５００の片面実装基板５１０に静電気が到達することを容易に防止できる。
【０１２８】
ゆえに、最大ベットスイッチ１５は、静電気を要因とする不具合の発生を抑制することができる。この際、上下方向における長さが長くなるため、最大ベットスイッチ１５は、スロットマシン１に装着された状態であっても押下検知ユニット４００及び照明ユニット５００に対してアクセスし易くなる。
【０１２９】
すなわち、下方から押下検知ユニット４００及び照明ユニット５００を第１ユニット収容部６０３及び第２ユニット収容部６０４に収容する構成としたことにより、最大ベットスイッチ１５は、沿面距離の確保と、メンテナス性の向上とを容易に両立することができる。
【０１３０】
従って、最大ベットスイッチ１５は、下方から押下検知ユニット４００、及び照明ユニット５００を収容する第１ユニット収容部６０３及び第２ユニット収容部６０４によって、演出の多様化に対応できるとともに、メンテナンス性を向上することができる。
【０１３１】
また、第１ユニット収容部６０３に押下検知ユニット４００を螺設し、第２ユニット収容部６０４に照明ユニット５００を螺設したことにより、最大ベットスイッチ１５は、押下検知ユニット４００及び照明ユニット５００を第１ユニット収容部６０３及び第２ユニット収容部６０４にそれぞれ嵌合爪によって嵌合する構成の場合に比べて、押下検知ユニット４００及び照明ユニット５００を取り外す際のメンテナンス性を向上することができる。
【０１３２】
具体的には、例えば、第１ユニット収容部６０３と押下検知ユニット４００とを嵌合爪によって嵌合する構成の場合、嵌合爪は、その大きさが非常に小さいものとなる。このため、第１ユニット収容部６０３から押下検知ユニット４００を取り外す際、嵌合爪によって嵌合する構成では、嵌合爪を解放する作業性が悪く、かつ嵌合爪が容易に破損するおそれがある。
【０１３３】
これに対して、第１ユニット収容部６０３に押下検知ユニット４００を螺設し、第２ユニット収容部６０４に照明ユニット５００を螺設したことにより、最大ベットスイッチ１５は、ネジ１５ａ，１５ｂを緩めるだけで押下検知ユニット４００及び照明ユニット５００を容易に取り外すことができる。  
従って、最大ベットスイッチ１５は、嵌合爪によって嵌合する構成の場合に比べて、押下検知ユニット４００及び照明ユニット５００を取り外す際のメンテナンス性を向上することができる。
【０１３４】
また、後方から螺合するネジ１５ｂによって照明ユニット５００を螺設したことにより、最大ベットスイッチ１５は、押下部材１００の操作に伴う振動によって照明ユニット５００が脱落することを抑制できる。
【０１３５】
具体的には、押下部材１００やハウジング６００を介して伝達した遊技者の操作による振動が、照明ユニット５００を上下方向に繰返し揺動させることで、ネジ１５ｂの緩みが生じるおそれがある。
【０１３６】
このため、例えば、下方から螺合するネジによって照明ユニット５００を第２ユニット収容部６０４に装着した場合、ネジの緩みが生じると、最大ベットスイッチ１５は、ネジとともに第２ユニット収容部６０４から照明ユニット５００が脱落するおそれがある。
【０１３７】
これに対して、後方からネジ１５ｂを螺合することにより、最大ベットスイッチ１５は、万一、ネジ１５ｂの緩みが生じてもネジ１５ｂが下方に脱落することを抑制できる。このため、最大ベットスイッチ１５は、ネジ１５ｂの脱落を抑制するとともに、第２ユニット収容部６０４から照明ユニット５００が脱落することを抑制できる。  
従って、最大ベットスイッチ１５は、後方から螺合するネジ１５ｂで螺設することにより、振動による照明ユニット５００の脱落を抑制することができる。
【０１３８】
また、片面実装基板５１０と基板ホルダ５２０とで照明ユニット５００を構成し、第２ユニット収容部６０４の下面と当接するフランジ５２２を基板ホルダ５２０に備えたことにより、最大ベットスイッチ１５は、厚みの薄い片面実装基板５１０の着脱を容易にすることができる。
【０１３９】
具体的には、照明ユニットを片面実装基板５１０のみで構成した場合、沿面距離の確保のため、照明ユニットは、片面実装基板５１０が第２ユニット収容部６０４に埋没することとなる。このため、照明ユニットは、作業者が保持する部分が少なくなり、第２ユニット収容部６０４からの取り外しが容易ではなくなる。
【０１４０】
そこで、片面実装基板５１０と基板ホルダ５２０とで照明ユニット５００を構成したことにより、照明ユニット５００は、片面実装基板５１０を第２ユニット収容部６０４に埋没させるとともに、基板ホルダ５２０を第２ユニット収容部６０４から露出させることができる。このため、作業者は、基板ホルダ５２０を保持することで片面実装基板５１０を第２ユニット収容部６０４から容易に取り外すことができる。
【０１４１】
さらに、片面実装基板５１０を第２ユニット収容部６０４に埋没できるため、最大ベットスイッチ１５は、第２ユニット収容部６０４における沿面距離をより確実に確保することができる。  
従って、最大ベットスイッチ１５は、片面実装基板５１０と基板ホルダ５２０とで照明ユニット５００を構成したことにより、厚みの薄い片面実装基板５１０の着脱を容易にでき、メンテナンス性を向上することができる。
【０１４２】
また、片面実装基板５１０と基板ホルダ５２０とで照明ユニット５００を構成したことにより、最大ベットスイッチ１５は、押下部材１００と上下方向で略対向するように押下検知ユニット４００を配置することができるとともに、透過部分１１５により近い位置に照明ユニット５００のＬＥＤ５１２を容易に配置することができる。
【０１４３】
このため、押下検知ユニット４００は、押下部材１００の操作をより確実に、かつ安定して検知することができる。一方、照明ユニット５００は、透過部分１１５を介して外部に照射光をより確実に照射することができる。  
従って、最大ベットスイッチ１５は、押下部材１００の操作のより確実な検知と、演出の多様化とを両立することができる。
【０１４４】
さらに、照明ユニット５００を片面実装基板５１０で構成したことにより、最大ベットスイッチ１５は、押下部材１００からＬＥＤ５１２や抵抗器５１３までの沿面距離をさらに長く確保することができ、ＬＥＤ５１２や抵抗器５１３に静電気が流れることをより確実に防止することができる。
【０１４５】
このため、最大ベットスイッチ１５は、静電気が流れることによるＬＥＤ５１２や抵抗器５１３の不具合を防止することができる。  
従って、最大ベットスイッチ１５は、演出の多様化に対応できるとともに、メンテナンス性をより向上することができる。
【０１４６】
また、第１信号線３５を介して遊技制御装置４０と押下検知ユニット４００を接続し、第２信号線３６を介して演出制御装置５０と照明ユニット５００とを接続したことにより、スロットマシン１は、演出の多様化に対応することができるとともに、メンテナンス性を向上することができる。
【０１４７】
具体的には、スロットマシン１は、押下検知ユニット４００を遊技制御装置４０で制御でき、照明ユニット５００を演出制御装置５０で制御することができる。このため、スロットマシン１は、各種演出に応じて照明ユニット５００の発光パターンを多様化することができる。
【０１４８】
さらに、最大ベットスイッチ１５のメンテナス性を向上しているため、スロットマシン１は、最大ベットスイッチ１５を前扉２に装着したまま、押下検知ユニット４００及び照明ユニット５００をそれぞれ個別に交換することができる。
【０１４９】
従って、スロットマシン１は、遊技制御装置４０及び演出制御装置５０にそれぞれ接続した最大ベットスイッチ１５を備えたことにより、演出の多様化に対応することができるとともに、メンテナンス性を向上することができる。
【０１５０】
なお、上述の実施形態において、押下部材１００を上方に付勢する手段としてスプリング２００を用いて説明したが、これに限定せず、上方に付勢可能であれば、弾性を有するゴムなどの弾性部材で押下部材１００を付勢する構成としてもよい。
【０１５１】
また、遊技者による操作を検知する手段として、透過型フォトセンサである押下検知ユニット４００を用いて説明したが、これに限定せず、接触型、あるいは非接触型の検知センサやコネクタと、これらを実装した基板とで、押下検知ユニットを構成してもよい。
【０１５２】
また、外部に露出した意匠部本体１１３を、照明ユニット５００の照射光を外部に透過する透過部分１１５としたが、これに限定せず、外部に向けて照射光を照射可能であれば、押下部材１００とハウジング６００との隙間を透過部としてもよい。
【０１５３】
また、ネジ１５ａを用いて押下検知ユニット４００を第１ユニット収容部６０３に螺設し、ネジ１５ｂを用いて照明ユニット５００を第２ユニット収容部６０４に螺設したが、これに限定せず、ナットによって螺設する構成としてもよい。
【０１５４】
例えば、押下検知ユニット４００に設けたスタッドボルトに螺合するナットで、第１ユニット収容部６０３に螺設するとともに、照明ユニット５００に設けたスタッドボルトに螺合するナットで、第２ユニット収容部６０４に螺設する構成としてもよい。  
あるいは、樹脂クリップやピンなどで押下検知ユニット４００と第１ユニット収容部６０３を締結するとともに、照明ユニット５００と第２ユニット収容部６０４とを締結してもよい。
【０１５５】
また、第１ユニット収容部６０３に押下検知ユニット４００を収容し、第２ユニット収容部６０４に照明ユニット５００を収容したが、これに限定せず、第１ユニット収容部６０３に照明ユニット５００を収容し、第２ユニット収容部６０４に押下検知ユニット４００を収容する構成としてもよい。この際、第１ユニット収容部６０３及び第２ユニット収容部６０４は、それぞれ照明ユニット５００及び押下検知ユニット４００を下方から収容可能な略ボックス形状に形成する。
【０１５６】
また、押下検知ユニット４００を下方から螺合するネジ１５ａによって第１ユニット収容部６０３に螺設したが、これに限定せず、前方から螺合するネジ１５ａによって第１ユニット収容部６０３に螺設する構成としてもよい。
【０１５７】
また、最大ベットスイッチ１５を用いて説明したが、これに限定せず、押しボタンスイッチであれば、ベットスイッチ１６、ストップスイッチ１７、スタートスイッチ１８、あるいは液晶モニタ１２に表示された画面に従って選択する選択ボタンスイッチなどであってもよい。なお、選択ボタンスイッチの場合、複数の押下部材と、複数の押下部材の押下を検知する複数の押下検知ユニットを有する構成とする。
【０１５８】
また、最大ベットスイッチ１５を制御する制御手段として、第１マイクロコンピュータ４４、及び第２マイクロコンピュータ５４を用いて説明したが、これに限定せず、ＣＰＵ、ＲＡＭ、及びＲＯＭを遊技制御基板４１及び演出制御基板５１上に備え、ＣＰＵ、ＲＡＭ、及びＲＯＭの協働によって動作を制御する構成を制御手段としてもよい。
【０１５９】
この発明の構成と、上述の実施形態との対応において、
この発明のユーザーは、実施形態の遊技者に対応し、
以下同様に、
押下方向は、上方から下方に対応し、
付勢部材は、スプリング２００に対応し、
押しボタンスイッチは、最大ベットスイッチ１５に対応し、
光源は、ＬＥＤ５１２に対応し、
透過部は、透過部分１１５に対応し、
一方のユニットは、押下検知ユニット４００に対応し、
直交方向は、前後方向Ｘに対応し、
逆方向は、下方から上方に対応し、
一方のユニットの挿入を許容する挿入開口は、第１ユニット挿入部６１４に対応し、
他方のユニットは、照明ユニット５００に対応し、
他方のユニットの挿入を許容する挿入開口は、第２ユニット挿入部６１８に対応し、
螺合手段は、ネジ１５ｂに対応し、
所定の電子部品は、ＬＥＤ５１２、及び抵抗器５１３に対応し、
実装基板は、片面実装基板５１０に対応し、
第２ユニット収容部の端面と当接するフランジ部は、フランジ５２２に対応し、
遊技制御手段は、第１マイクロコンピュータ４４に対応し、
演出制御手段は、第２マイクロコンピュータ５４に対応し、
接続手段は、送信回路４３、ハーネス３４、及び受信回路５３に対応し、
第１ユニット接続手段は、押下検知ユニット４００と遊技制御装置４０とを接続する第１信号線３５に対応し、
第２ユニット接続手段は、照明ユニット５００と演出制御装置５０とを接続する第２信号線３６に対応するが、
この発明は、上述の実施形態の構成のみに限定されるものではなく、多くの実施の形態を得ることができる。
【符号の説明】
【０１６０】
１…スロットマシン
１５…最大ベットスイッチ
１５ｂ…ネジ
３４…ハーネス
３５…第１信号線
３６…第２信号線
４１…遊技制御基板
４３…送信回路
４４…第１マイクロコンピュータ
５１…演出制御基板
５３…受信回路
５４…第２マイクロコンピュータ
１００…押下部材
１１５…透過部分
２００…スプリング
４００…押下検知ユニット
５００…照明ユニット
５１０…片面実装基板
５１２…ＬＥＤ
５１３…抵抗器
５２０…基板ホルダ
５２２…フランジ
６００…ハウジング
６０３…第１ユニット収容部
６０４…第２ユニット収容部
６１４…第１ユニット挿入部
６１８…第２ユニット挿入部
Ｘ…前後方向
【図１】
2015205099.tif 000003
【図２】
2015205099.tif 000004
【図３】
2015205099.tif 000005
【図４】
2015205099.tif 000006
【図５】
2015205099.tif 000007
【図６】
2015205099.tif 000008
【図７】
2015205099.tif 000009
【図８】
2015205099.tif 000010
【図９】
2015205099.tif 000011
【図１０】
2015205099.tif 000012
【図１１】
2015205099.tif 000013